(57)【要約】【課題】保温材で被覆された立ち上がり管の支持作業および高さ調整作業の簡素化を図れる給水・給湯用立ち上がり管の支持装置を提供する。【解決手段】保温材８で被覆され、かつ該保温材８の外周に該保温材よりも平滑で硬い材料で形成されたカバー筒体１１が巻き付けられた立ち上がり管１と、床スラブ２上に固定された支持スタンド９と、この支持スタンドに取り付けられた拡縮径自在なクリップ部材１０とを備える。立ち上がり管１は保温材８及びカバー筒体１１ごとクリップ部材１０に挿通される。クリップ部材１０はカバー筒体１１の外周面との接触面間で摩擦を生ぜしめこの摩擦力のみで立ち上がり管１を任意高さ位置で静止させ、また立ち上がり管１はこれに作用させる手動操作力で前記摩擦力に抗して上下方向にスライド可能になしている。【選択図】図２
2007321887.tif 000002
【特許請求の範囲】
【請求項１】
立ち上がり管の下端部が床スラブ上に這わされる給水・給湯用の床下配管に、同立ち上がり管の上端部が末端に器具を接続する床上配管にそれぞれ接続され、該立ち上がり管が発泡プラスチック等よりなる保温材で被覆されて前記床スラブ上に支持固定される、給水・給湯用立ち上がり管の支持装置において、
前記保温材の外周に巻き付けられ、該保温材よりも平滑で硬い材料で形成されたカバー筒体と、前記床スラブ上に固定された支持スタンドと、この支持スタンドに取り付けられ前記立ち上がり管が前記カバー筒体ごと挿通された弾性材からなる拡縮径自在なクリップ部材とを備え、前記クリップ部材は、前記カバー筒体の外周面との接触面間で摩擦力を生ぜしめこの摩擦力のみで該立ち上がり管を任意高さ位置で静止でき、かつ、前記立ち上がり管に作用させる手動操作力で該立ち上がり管を前記摩擦力に抗して上下方向にスライド可能になしていることを特徴とする、給水・給湯用立ち上がり管の支持装置。
【請求項２】
前記クリップ部材は、前記支持スタンドに取り付けられる固定基部と、この固定基部に一体に形成され円周一部に開離部を有する拡縮径自在な抱持筒部とを有する形に形成されている、請求項１記載の給水・給湯用立ち上がり管の支持装置。
【請求項３】
前記クリップ部材は、前記支持スタンドに取り付けられる固定基部と、この固定基部に一体に形成された拡縮径自在な一対の半割り抱持筒部片からなる抱持筒部、および前記抱持筒部片の開離側先端部どうし間に形成される開離部とを有し、一方の抱持筒部片の開離側先端部に係止爪を、もう一方の抱持筒部片の開離側先端部に前記係止爪が係合する係合溝部をそれぞれ設けている、請求項１記載の給水・給湯用立ち上がり管の支持装置。
【請求項４】
前記クリップ部材は、前記支持スタンドに取り付けられる固定基部と、この固定基部に一体に形成され円周一部に開離部を有する拡縮径自在な抱持筒部と、該抱持筒部に基端部が薄肉の一体成形ヒンジを介して折曲自在に一体に連設されて前記開離部の外方を覆い得る円弧形状に形成された締付バンド部片と、該締付バンド部片の先端部に設けられ前記抱持筒部に設けた係合溝部に係合する係止爪とを有する形に形成されている、請求項１記載の給水・給湯用立ち上がり管の支持装置。
【請求項５】
下端部が床スラブ上に這わされる給水・給湯用の床下配管に、上端部が末端に器具を接続する床上配管にそれぞれ接続され、発泡プラスチック等よりなる保温材で被覆された立ち上がり管を、前記床スラブ上に支持固定するに際し、先ず、床スラブ上に支持スタンドを固定するとともに、前記立ち上がり管の保温材の外周に該保温材よりも平滑で硬い材料で形成されたカバー筒体を巻き付け、次いで、前記支持スタンドに取り付けられた弾性材からなる拡縮径自在なクリップ部材に前記立ち上がり管を前記カバー筒体と前記クリップ部材との接触面間で摩擦力が生じるように挿通させ、次いで、前記立ち上がり管を手動操作で前記摩擦力に抗して上下方向にスライドさせて床板高さ以上に引き上げ、次いで、床板をこの床板に設けた開口部から前記立ち上がり管の上端部が突出するように張った後に前記立ち上がり管を手動操作で前記摩擦力に抗し押し下げて床板高さ位置にまで押し下げて前記摩擦力のみで静止保持させることを特徴とする、給水・給湯用立ち上がり管の支持方法。
【発明の詳細な説明】
【技術分野】
【０００１】
本発明は、給水・給湯を行う配管システムにおいて、床スラブ上に這わされる床下配管と、末端に給水ヘッダー、給湯ヘッダー等の器具を接続する床上配管とを接続する立ち上がり管を、床スラブ上に支持固定する給水・給湯用立ち上がり管の支持装置およびその支持方法に関する。
【背景技術】
【０００２】
従来、給水・給湯を行う配管システムにおいて、例えば、床スラブ上に這わされる可撓性の床下配管から床板へ向けて立ち上げる立ち上げ管部を床スラブ上に保持するための管保持部材が提案されている（例えば、特許文献１参照。）。図８に示すように、その管保持部材３０は、床スラブ３１に固定する固定部３２と、床下配管３３からの立ち上がり管部３４を床スラブ３１に対して水平移動のみを規制するよう保持する管移動規制手段３５とを備える。そして、固定部３２は短筒形状に形成され、一方、管移動規制手段３５は、側面の少なくとも一部を切り欠いた筒形状に形成されており、管移動規制手段３５の下端部を固定部３２の筒内又は筒外に差し込むようにしたものである。かかる管保持部材３０を用いて立ち上がり管部３４を垂直状態に立ち上げるには、先ず、固定部３２を床スラブ３１に固定する。次いで管移動規制手段３５の側面の切り欠き部分から立ち上がり管部３４を挿通し、しかる後該管移動規制手段３５の下端部を固定部３２の筒部に差し込むのである。
【０００３】
【特許文献１】特開２００４−１１６７５９号公報
【発明の開示】
【発明が解決しようとする課題】
【０００４】
しかしながら、上記のような管保持部材３０を用いて立ち上がり管部３４を垂直状態に立ち上げるものでは、立ち上がり管部３４を挿通した状態の管移動規制手段３５の下端部を固定部３２の筒部に差し込まなければならず、この作業は甚だ煩わしい。
また、多様な床板３８の高さに対応できるように管移動規制手段３５の上下の高さ調整を可能にするには、図９のように、管移動規制手段３５の上部に筒形状の高さ調整手段３７を嵌め込み、床板３８の高さに合わせて高さ調整手段３７を上下に動かすというものであるが、これでは管移動規制手段３５とは別途に高さ調整手段３７を用意する必要がある。また、この高さ調整は、床板３８を張る前に行う必要がある。
さらに、上記のように立ち上がり管部３４を立ち上げ、床板３８を張った後は、継手３９を立ち上がり管部３４の上端部に取り付けると共に床板３８に固定するが、その際、一度、立ち上がり管部３４を床板３８の開口部４０から引き上げてから押下げる必要があり、その引き上げ作業は床下から行わなければならず、甚だ煩わしかった。
【０００５】
本発明は、このような問題を解決するためになされたものであり、その目的とするところは、上記のような、床下配管から床板へ向けて立ち上がる立ち上げ管を床スラブに支持するものにおいて、断熱目的の為に保温材で被覆された立ち上がり管を対象とし、この立ち上がり管の支持作業および高さ調整作業の簡素化を図れる給水・給湯用立ち上がり管の支持装置およびその支持方法を提供することにある。
【課題を解決するための手段】
【０００６】
本発明の給水・給湯用立ち上がり管の支持装置は、請求項１に記載のように、立ち上がり管の下端部が床スラブ上に這わされる給水・給湯用の床下配管に、同立ち上がり管の上端部が末端に器具を接続する床上配管にそれぞれ接続され、該立ち上がり管が発泡プラスチック等よりなる保温材で被覆されて前記床スラブ上に支持固定される、給水・給湯用立ち上がり管の支持装置において、前記保温材の外周に巻き付けられ、該保温材よりも平滑で硬い材料で形成されたカバー筒体と、前記床スラブ上に固定された支持スタンドと、この支持スタンドに取り付けられ前記立ち上がり管が前記カバー筒体ごと挿通された弾性材からなる拡縮径自在なクリップ部材とを備え、前記クリップ部材は、前記カバー筒体の外周面との接触面間で摩擦力を生ぜしめこの摩擦力のみで該立ち上がり管を任意高さ位置で静止でき、かつ、前記立ち上がり管に作用させる手動操作力で該立ち上がり管を前記摩擦力に抗して上下方向にスライド可能になしていることに特徴を有するものである。
【０００７】
このような構成の給水・給湯用立ち上がり管の支持装置によれば、支持スタンドに取り付けられたクリップ部材に対し立ち上がり管をカバー筒体の外周面とクリップ部材との接触面間で生じる摩擦力（すべり摩擦）に抗して上下方向にスライドさせることで該立ち上がり管が任意高さ位置に静止保持できるように挿通してある。したがって、床板を張る前において、予め立ち上がり管をクリップ部材からカバー筒体の外周面との摩擦抵抗に抗して床板高さ以上の高さにまで引き上げるとこの高さ位置では摩擦抵抗（静摩擦）で静止させることができ、次いで床板が該床板の開口部から立ち上がり管の上端部が突出するように張られた後においては、作業者の手で立ち上がり管を前記すべり摩擦に抗して前記開口部内に押し下げるだけの簡単な操作で立ち上がり管を床板高さに合致する高さ位置に静止支持させることができる。このように、床板を張る前において予め立ち上がり管をクリップ部材から床板高さ以上の高さにまで引き上げてさえしておけば、床板を張る前に、立ち上がり管を床板の高さに合うように高さ調整をする面倒な作業をしなくて済み、また立ち上がり管の押し下げ量を加減することにより床板高さの寸法公差内でのばらつきや床板高さの変更にもよく対応できて有利である。
また、立ち上がり管はカバー筒体の外周面とクリップ部材との接触面間で生じる摩擦抵抗のみで静止保持でき、また手動操作で摩擦力に抗して上下方向にスライドできるようにしてあるので、別途高さ調整部材や任意高さ位置に止め付けるためのねじ部材などを一切不要とする。
【０００８】
立ち上がり管が発泡プラスチック等よりなる保温材で被覆されたのみのままでクリップ部材に挿通されると、発泡プラスチック等よりなる保温材は摩擦係数が大きくクリップ部材に対し滑りにくいため、立ち上がり管を上下方向にスライドさせる高さ調整作業性に難が生じる。また、保温材は膨張することがあり、この膨張により円周一部に開離部を有する形のクリップ部材は不慮に開離部を開いてしまうとい不具合が生じる。
これに対し、請求項１記載の発明によれば、立ち上がり管を被覆した保温材の外周に、該保温材よりも平滑で硬い材料で形成されたカバー筒体を巻き付けているので、立ち上がり管は保温材で被覆されていてもカバー筒体を介してクリップ部材に対する滑り性を確保でき、従って上下方向に円滑にスライドすることができ、高さ調整作業を容易に行うことができる。また、カバー筒体の巻き付けにより保温材の膨張を抑えることができるため、円周一部に開離部を有する形のクリップ部材であってもその不慮の開きを防止することができる。
【０００９】
請求項１に記載の給水・給湯用立ち上がり管の支持装置は、請求項２に記載のように、前記クリップ部材は、前記支持スタンドに取り付けられる固定基部と、この固定基部に一体に形成され円周一部に開離部を有する拡縮径自在な抱持筒部とを有する形に形成することができる。このように開離部を有する形のクリップ部材によれば、立ち上がり管を保温材及びカバー筒体ごとクリップ部材に開離部を介して一側方から簡易に挿通させることができる。
【００１０】
また、請求項１に記載の給水・給湯用立ち上がり管の支持装置は、請求項３に記載のように、前記クリップ部材は、前記支持スタンドに取り付けられる固定基部と、この固定基部に一体に形成された拡縮径自在な一対の半割り抱持筒部片からなる抱持筒部、および前記抱持筒部片の開離側先端部どうし間に形成される開離部とを有し、一方の抱持筒部片の開離側先端部に係止爪を、もう一方の抱持筒部片の開離側先端部に前記係止爪が係合する係合溝部をそれぞれ設けたものとすることもできる。
このように開離部、および互いに係合する係止爪と係合溝部とを備えたクリップ部材によれば、立ち上がり管を保温材及びカバー筒体ごとクリップ部材に開離部を介して一側方から簡易に挿通させることができ、挿通後は係止爪を係合溝部に係合させることで所定の摩擦抵抗を得るべく緊締させることができる。
【００１１】
さらに、請求項１に記載の給水・給湯用立ち上がり管の支持装置は、請求項４に記載のように、前記クリップ部材は、前記支持スタンドに取り付けられる固定基部と、この固定基部に一体に形成され円周一部に開離部を有する拡縮径自在な抱持筒部と、該抱持筒部に基端部が薄肉の一体成形ヒンジを介して折曲自在に一体に連設されて前記開離部の外方を覆い得る円弧形状に形成された締付バンド部片と、該締付バンド部片の先端部に設けられ前記抱持筒部に設けた係合溝部に係合する係止爪とを有する形に形成することもできる。
このように開離部および締付バンド部片を備えたクリップ部材によれば、立ち上がり管を保温材及びカバー筒体ごとクリップ部材に開離部を介して一側方から簡易に挿通させることができ、挿通後は締付バンド部片で所定の摩擦抵抗を得るべく緊締させることができる。
【００１２】
本発明の給水・給湯用立ち上がり管の支持方法は、請求項５に記載のように、下端部が床スラブ上に這わされる給水・給湯用の床下配管に、上端部が末端に器具を接続する床上配管にそれぞれ接続され、発泡プラスチック等よりなる保温材で被覆された立ち上がり管を、前記床スラブ上に支持固定するに際し、先ず、床スラブ上に支持スタンドを固定するとともに、前記立ち上がり管の保温材の外周に該保温材よりも平滑で硬い材料で形成されたカバー筒体を巻き付け、次いで、前記支持スタンドに取り付けられた弾性材からなる拡縮径自在なクリップ部材に前記立ち上がり管を前記カバー筒体と前記クリップ部材との接触面間で摩擦力が生じるように挿通させ、次いで、前記立ち上がり管を手動操作で前記摩擦力に抗して上下方向にスライドさせて床板高さ以上に引き上げ、次いで、床板をこの床板に設けた開口部から前記立ち上がり管の上端部が突出するように張った後に前記立ち上がり管を手動操作で前記摩擦力に抗し押し下げて床板高さ位置にまで押し下げて前記摩擦力のみで静止保持させることに特徴を有するものである。
【００１３】
このような構成の給水・給湯用立ち上がり管の支持方法によれば、支持スタンドに取り付けられたクリップ部材に対し立ち上がり管はカバー筒体の外周面とクリップ部材との接触面間で生じる摩擦力に抗して上下方向にスライドさせることで任意高さ位置に静止保持できるように挿通させるので、床板を張る前において、予め、立ち上がり管をクリップ部材から床板高さ以上の高さにまで引き上げてさえしておけば、床板を張る前に立ち上がり管を床板の高さに合うように高さ調整をする面倒な作業をしなくて済み、また立ち上がり管の押し下げ量を加減することにより床板高さの寸法公差内でのばらつきや床板高さの変更にもよく対応できる。
また、立ち上がり管はカバー筒体の外周面とクリップ部材との接触面間で生じる摩擦抵抗のみで静止保持し、また手動操作で摩擦力に抗して上下方向にスライドさせるので、別途高さ調整部材や任意高さ位置に止め付けるためのねじ部材などを一切不要とする。
【００１４】
とくに、立ち上がり管を被覆した保温材の外周に、該保温材よりも平滑で硬い材料で形成されたカバー筒体を巻き付けるので、立ち上がり管は保温材で被覆されていてもカバー筒体を介してクリップ部材に対する滑り性を確保でき、上下方向に円滑にスライドさせることができ、高さ調整作業を容易に行うことができる。また、カバー筒体の巻き付けにより保温材の膨張を抑えることができるため、開離部を有する形のクリップ部材であってもその開離部の不慮の開きを防止できる。
【発明の効果】
【００１５】
本発明の給水・給湯用立ち上がり管の支持装置および支持方法によれば、立ち上がり管を保温材で被覆していても該立ち上がり管を床スラブ上に簡単に高さ調整し得ながら支持固定することができ、現場での施工性に優れる。
【００１６】
【発明を実施するための最良の形態】
【００１７】
本発明の好適な実施形態を図面に基づき説明する。図１は本発明の一実施例を示す給水・給湯用立ち上がり管の支持装置を床板張り直後の状態で示す半欠截正面図、図２は同支持装置を床上配管と接続した状態で示す半欠截正面図、図３は図１におけるＡ−Ａ線断面図、図４は同支持装置に用いられるカバー筒体の使用前における拡開状態を示す平面図、図５は同支持装置により支持された給水・給湯用立ち上がり管の上端部に床上配管を接続した施工例図である。
【００１８】
図５に示すように、本発明の対象とする給水・給湯用の立ち上がり管１はポリブテン管等からなって、その下端部が床スラブ２上に這わされる給水・給湯用の床下配管３の末端部にエルボ４を介して接続され、その上端部が末端に給水ヘッダー、給湯ヘッダー等の器具５が接続される床上配管６の先端部に継手７を介して接続され、かつその全長にわたって発泡ポリエチレンや発泡ウレタン等の発泡プラスチック等よりなる保温材（断熱材）８で被覆されるものである。そして、本発明に係る給水・給湯用立ち上がり管の支持装置は、図１、図３に示すように、床スラブ２上に固定される支持スタンド９と、この支持スタンド９に一体的に取り付けられ立ち上がり管１が保温材８ごと挿通される合成樹脂等弾性材からなる拡縮径自在なクリップ部材１０と、保温材８の外周に巻き付けられるカバー筒体１１とを備える。カバー筒体１１は、図４にその使用前の平面図を示すように、保温材８よりも平滑で硬い材料、例えばポリプロピレン、ポリエチレン等のプラスチック板や金属板などからなり、円周一部を開離しかつ折曲自在なヒンジ１１ａを有する欠円筒状に形成され、該ヒンジ１１ａを支点にして拡縮変形自在に形成されている。クリップ部材１０はカバー筒体１１の外周面との接触面間で摩擦を生ぜしめこの摩擦力のみで立ち上がり管１を任意高さ位置で垂直状態に静止させ、かつ、立ち上がり管１はこれに作用させる手動操作力で前記摩擦力に抗して上下方向にスライド可能になしている。
【００１９】
上記支持スタンド９は、具体的には、例えば、図１に示すように、床スラブ２にボルト等固定具１２で固定される金属製の固定板部９ａと、この固定板部９ａから立ち上げられる垂直板部９ｂとを有するＬ形状などに形成してなる。
【００２０】
上記クリップ部材１０は、具体的には、例えば、図１、図３に示すように、支持スタンド９の垂直板部９ｂの上端寄りにビス１３等で一体的に取り付けられる固定基部１４と、この固定基部１４に一体に形成され円周一部に開離部１５を有する拡縮径自在な抱持筒部１６、および抱持筒部１６に基端部が薄肉に一体成形されたヒンジ１７を介して折曲自在に一体に連設され、開離部１５の外方を覆い得る円弧形状に形成された締付バンド部片１８とを有する樹脂成形品である。
【００２１】
締付バンド部片１８の先端部には係止爪１９が設けられ、この締付バンド部片１８は、抱持筒部１６の開離部１５の外方を覆い塞ぐと共に、抱持筒部１６の外周面に周方向に所定ピッチで列設した複数個の係合溝部２０群のうち任意の係合溝部２０に係止爪１９を係合させることにより、抱持筒部１６の開離部１５がこれの開離幅を狭められように締め付けることができる。締付バンド部片１８により抱持筒部１６が開離部１５の開離幅を狭められるよう締め付けられたときにおける抱持筒部１６の、立ち上がり管非挿通状態での内径は、立ち上がり管１の外周に保温材８を介して巻き付けられるカバー筒体１１の外径よりも少し小さく設定される。かくして、保温材８で被覆され、かつ保温材８の外周にカバー筒体１１が縮小状態に巻き付けられた立ち上がり管１が、開離部１５から抱持筒部１６に挿通され締付バンド部片１８で締め付けられると、立ち上がり管１はカバー筒体１１の外周面と抱持筒部１６の内周面との接触面間で摩擦力を生じこの摩擦抵抗で任意高さ位置に静止させることができ、また作業者の手によって立ち上がり管１に前記摩擦抵抗に抗して引き上げ力或いは押し下げ力を作用させると立ち上がり管１を上下方向にスライドさせることができる。
【００２２】
クリップ部材１０としては、上記のように開離部１５および締付バンド部片１８を備えたものを採用することにより、立ち上がり管１をクリップ部材１０に開離部１５を介して一側方から挿通させることができ、挿通後は締付バンド部片１８で所定の摩擦抵抗を得るべく緊締させることができる。
【００２３】
その他に、クリップ部材１０は、上記締付バンド部片１８を有しない形のものであってもよく、例えば、図６（ａ），（ｂ）に示すように、支持スタンド９の垂直板部９ｂの上端寄りにビス１３等で一体的に取り付けられる固定基部１４と、この固定基部１４に一体に形成され円周一部に開離部１５を有する拡縮径自在な抱持筒部１６とを有するものであってもよい。これにおいても、保温材８で被覆され、かつ保温材８の外周にカバー筒体１１が巻き付けられた立ち上がり管１をクリップ部材１０に開離部１５を介して一側方から挿通させることができる。また、立ち上がり管１をカバー筒体１１の外周面と抱持筒部１６の内周面との接触面間で摩擦力を発生させて任意高さ位置に静止させることができ、また作業者の手によって立ち上がり管１を摩擦力に上下方向にスライドさせることができる。
【００２４】
また、クリップ部材１０は、図７（ａ），（ｂ）に示すように、支持スタンド９の垂直板部９ｂの上端寄りにビス１３等で一体的に取り付けられる固定基部１４と、この固定基部１４に一体に形成された拡縮径自在な一対の半割り抱持筒部片１６ａ，１６ｂからなる抱持筒部１６、および抱持筒部片１６ａ，１６ｂの開離側先端部どうし間に形成される開離部１５とを有するものであってもよい。この場合、一方の抱持筒部片１６ａの開離側先端部に係止爪２１を設け、もう一方の抱持筒部片１６ａの開離側先端部に複数個の係合溝部２２群定ピッチで列設して、係合溝部２２群のうち任意の係合溝部２２に係止爪２１を係合させることにより、保温材８で被覆され、かつ保温材８の外周にカバー筒体１１が巻き付けられた立ち上がり管１をカバー筒体１１の外周面と抱持筒部１６の内周面との接触面間で摩擦力を生じるように締め付けられるようにしてある。
要は、クリップ部材１０は、カバー筒体１１の外周面との接触面間で摩擦力を生ぜしめこの摩擦力のみで立ち上がり管１を任意高さ位置で静止させることができ、かつ、立ち上がり管１に作用させる手動操作力で前記摩擦力に抗して立ち上がり管１を上下方向にスライド可能に挿通できるものであればよい。
【００２５】
次に、上記支持スタンド９およびクリップ部材１０を用いて立ち上がり管１を床スラブ２上に支持する方法について説明する。
【００２６】
先ず、床板２３を張る前において、図１に示すように、支持スタンド９を床スラブ２上の所定位置に固定する。また、支持スタンド９を床スラブ２に固定した後、または支持スタンド９を床スラブ２に固定する前に、床スラブ２上に這わされる給水・給湯用の床下配管３の末端部に接続され、保温材８で被覆された立ち上がり管１を該保温材８の外周にカバー筒体１１を巻き付けてクリップ部材１０に挿通する。その際、予め立ち上がり管１を作業者の手でクリップ部材１０からカバー筒体１１との摩擦抵抗に抗して床板２３の所望高さ以上の高さにまで高く引き上げておく。この引き上げ位置では立ち上がり管１はカバー筒体１１の外周面とクリップ部材１０の抱持筒部１６の内面との接触面間で生じる摩擦抵抗のみで静止保持させることができる。
【００２７】
次いで、床板２３を張るが、このとき、図１のように、床板２３に設けてある開口部２４から立ち上がり管１の上端部に接続している継手７が突出するように床板２３が張られる。床板２３を張った後は、図２に示すように、立ち上がり管１の上端部の継手７にフランジ２５をねじ込み、立ち上がり管１をフランジ２５が床板２３の上に重なり合うまで手動操作で押し下げる。これにより立ち上がり管１は床板２３の所望高さ位置に合致する高さ位置に設置されることになる。フランジ２５は床板２３にビス等で固定される。
最後に、図５に示すように、立ち上がり管１の上端部に床上配管６の先端部が継手７を介して接続され、床上配管６の末端に給水ヘッダー、給湯ヘッダー等の器具５が接続される。
【００２８】
上記のように、床板２３を張る前において、立ち上がり管１をクリップ部材１０からカバー筒体１１との摩擦抵抗に抗して床板２３の所望高さ以上に高く引き上げておき、床板２３を張った後は、立ち上がり管１は手動操作による押し下げ力がカバー筒体１１の外周面とクリップ部材１０の抱持筒部１６の内面との摩擦抵抗に抗して加えられることにより床板２３の所望高さ位置に合致する高さ位置に設置されることになる。したがって、床板２３が張られる前に、立ち上がり管１を床板２３の高さに合うように高さ調整をする面倒な作業はしなく済む。また、立ち上がり管１は手動操作で摩擦力に抗して押し下げる操作のみで簡単に所要の高さ位置を出すことができ、この押し下げ量を加減することにより床板２３の高さ寸法公差内でのばらつきや床板２３の高さ寸法の変更にもよく対応できる。
【００２９】
また、立ち上がり管１は手動操作で摩擦力に抗して押し下げるのみで所要高さ位置を出すことができることから、高さ調整部材などを一切使用することなく、立ち上がり管１の支持作業を能率よく進めることができる。
【図面の簡単な説明】
【００３０】
【図１】本発明の一実施例を示す給水・給湯用立ち上がり管の支持装置を床板張り直後の状態で示す半欠截正面図である。
【図２】同支持装置を床上配管と接続した状態で示す半欠截正面図である。
【図３】図１におけるＡ−Ａ線断面図である。
【図４】同支持装置に用いられるカバー筒体の使用前における拡開状態を示す平面図である。
【図５】同支持装置により支持された給水・給湯用立ち上がり管の上端部に床上配管を接続した施工例図である。
【図６】同支持装置に使用するクリップ部材の変形例を示し、（ａ）はクリップ部材及び支持スタンドの平面図、（ｂ）はクリップ部材に立ち上がり管を挿通した状態で示すクリップ部材及び支持スタンドの平面図である。
【図７】同支持装置に使用するクリップ部材の他の変形例を示し、（ａ）はクリップ部材及び支持スタンドの平面図、（ｂ）はクリップ部材に立ち上がり管を挿通した状態で示すクリップ部材及び支持スタンドの平面図である。
【図８】従来例の管保持部材を用いて立ち上がり管部を立ち上げた状態を示す断面図である。
【図９】従来例の管保持部材に高さ調整手段を取り付けて立ち上がり管部を立ち上げた状態を示す断面図である。
【符号の説明】
【００３１】
１  立ち上がり管
２  床スラブ
３  床上配管
５  器具
６  床上配管
８  保温材
９  支持スタンド
１０  クリップ部材
１１  カバー筒体
１４  固定基部
１５  開離部
１６  抱持筒部
１６ａ，１６ｂ  半割り抱持筒部片
１７  一体成形ヒンジ
１８  締付バンド部片
１９，２１  係止爪
２０，２２  係合溝部
２３  床板
２４  開口部
【図１】
2007321887.tif 000003
【図２】
2007321887.tif 000004
【図３】
2007321887.tif 000005
【図４】
2007321887.tif 000006
【図５】
2007321887.tif 000007
【図６】
2007321887.tif 000008
【図７】
2007321887.tif 000009
【図８】
2007321887.tif 000010
【図９】
2007321887.tif 000011